(57)【要約】【課題】従来の鴨居溝に戸首部を嵌装する引き戸において、クローザー機構を付設しても縦幅の短い上框を有する引き戸本体を用いることが可能で、例えばガラス戸入り引き戸のように様々なデザインの引き戸を採用することができる引き戸を提供する。【解決手段】引き戸の上面に突出形成された戸首部を鴨居に形成された鴨居溝に嵌装して走向させる引き戸において、戸首部が引き戸本体と別体に形成されて引き戸本体の上面における左右の端部にそれぞれ付設されているとともに少なくとも一方の戸首部にクローザー機構を内蔵させた。【選択図】図1
2011080292.tif 000002
【特許請求の範囲】
【請求項１】
引き戸の上面に突出形成された戸首部を鴨居に形成された鴨居溝に嵌装して走向させる引き戸において、前記戸首部が引き戸本体と別体に形成されて引き戸本体の上面における左右の端部にそれぞれ付設されているとともに少なくとも一方の戸首部にクローザー機構を内蔵したことを特徴とする戸首部調整引き戸。
【請求項２】
前記戸首部がその先端に前記戸首部の先端を前後方向へ移動可能とする調節部材が付設されていることを特徴とする請求項１記載の戸首部調整引き戸。
【請求項３】
前記戸首部がその基端に形成した前後方向へ延びる長孔内に配置した引き戸の上面に垂設した軸により前記戸首部の基端が前後方向へ所定の範囲で移動可能であることを特徴とする請求項１または２記載の戸首部調整引き戸。
【請求項４】
前記戸首部の前後方向の両側面に前記框溝の両側面にそれぞれ摺動するガイド条がそれぞれ備えられていることを特徴とする請求項１，２または３記載の戸首部調整引き戸。
【請求項５】
前記戸首部に内蔵したクローザー機構が、前記鴨居溝における頂面の所定位置に下向きに突設したトリガ７に下側から係合する開閉可能なキャッチ体が前記引き戸の長手方向所定範囲で往復摺動可能に突設され、前記キャッチ体に引きバネおよびダンパを基端側に連結して前記引きバネで摺動させて前記引き戸を閉方向に付勢するものであって、キャッチ体が前記トリガに係合した状態で引戸開動作により引きバネを所定量延伸した時点でトリガから外れてその位置に保持され、引戸閉動作により前記トリガと再係合して保持状態が解除されて、前記ダンパの作用で緩衝されながら前記引きバネの弾性収縮力で前記引戸閉動作後半部分のうち完全閉止までの所定範囲を自動的に行うものであることを特徴とする請求項１，２，３または４記載の戸首部調整引き戸。
【発明の詳細な説明】
【技術分野】
【０００１】
本発明は、引き戸本体の上面に突出形成された戸首部を鴨居に形成された鴨居溝に嵌装して走向させる引き戸おいてクローザー機構を備えたに関するものである。
【背景技術】
【０００２】
従来、鴨居に形成された鴨居溝に嵌装する部分である戸首部を引き戸本体の上面に突出形成されるとともに引き戸本体の下面に備えた走向車輪を敷居に沿って走向させる引き戸が古くから知られており、例えば特開平１０−３１７７８０号公報、特開２００５−１７１５１１号公報などに提示されている。
【０００３】
一方、所定位置まで往動されてきた引き戸を停止位置まで自走往動させるクローザー機構を備えたものが例えば特開平８−２１１４７号公報、特開２００６−１６９９０５号公報などに提示されている。
【０００４】
ところが前記従来のクローザー機構を備えた引き戸は図５に示すように、クローザー機構１ａが引き戸２ａの上部に位置する鴨居溝３ａに嵌挿される戸首部２ｂに形成した掘り込み溝２ｃに埋設されて装着されている。
【０００５】
そのため、図６（ａ）に示すように、少なくとも引き戸の戸首部２ｂを兼ねる上框の縦幅を広く形成しなければならず経済的に負担がある。また、例えば図６（ｂ）に示すようなガラス入り引き戸２ｄのように各種のデザインの引き戸に対応することが困難であるという問題がある。
【先行技術文献】
【特許文献】
【０００６】
【特許文献１】特開平１０−３１７７８０号公報
【特許文献２】特開２００５−１７１５１１号公報特
【特許文献３】特開平８−２１１４７号公報
【特許文献４】特開２００６−１６９９０５号公報
【発明の概要】
【発明が解決しようとする課題】
【０００７】
本発明は前記問題点を解決するためになされたものであり、従来の鴨居溝に戸首部を嵌装する引き戸において、クローザー機構を付設しても縦幅の短い上框を有する引き戸本体を用いることが可能で、例えばガラス戸入り引き戸のように様々なデザインの引き戸を採用することができる引き戸を提供することを課題とする。
【課題を解決するための手段】
【０００８】
前記課題を解決するためになされた本発明である引き戸は、引き戸の上面に突出形成された戸首部を鴨居に形成された鴨居溝に嵌装して走向させる引き戸において、前記戸首部が引き戸本体と別体に形成されて引き戸本体の上面における左右の端部にそれぞれ付設されているとともに少なくとも一方の戸首部にクローザー機構を内蔵したことを特徴とする。
【０００９】
本発明によれば、引き戸本体の上面に突出して配置した別体の戸首部にクローザー機構を内蔵したので従来のように引き戸本体にクローザー機構を埋め込むための掘り込み溝を形成することがなく、引き戸本体の上框の縦幅を短く形成することができる。
【００１０】
また、本発明において、前記戸首部がその先端に前記戸首部の先端を前後方向へ移動可能とする調節部材が付設されている場合には前後方向の建て付けを簡単に調整することができる。
【００１１】
更に、本発明において、前記戸首部がその基端に形成した前後方向へ延びる長孔内に配置した引き戸の上面に垂設した軸により前記戸首部の基端が前後方向へ所定の範囲で移動可能とすることにより、前記戸首部が比較的長い場合であっても戸首部の先端における前後方向の調整を容易にする。
【００１２】
更にまた、前記戸首部の前後方向の両側面に前記框溝の両側面にそれぞれ摺動するガイド条がそれぞれ備えられている場合には、戸首部における側面の鴨居溝への接触抵抗が減少して引き戸が円滑に走向する。
【００１３】
加えて、前記戸首部に内蔵したクローザー機構が、前記鴨居溝における頂面の所定位置に下向きに突設したトリガ７に下側から係合する開閉可能なキャッチ体が前記引き戸の長手方向所定範囲で往復摺動可能に突設され、前記キャッチ体に引きバネおよびダンパを基端側に連結して前記引きバネで摺動させて前記引き戸を閉方向に付勢するものであって、キャッチ体が前記トリガに係合した状態で引戸開動作により引きバネを所定量延伸した時点でトリガから外れてその位置に保持され、引戸閉動作により前記トリガと再係合して保持状態が解除されて、前記ダンパの作用で緩衝されながら前記引きバネの弾性収縮力で前記引戸閉動作後半部分のうち完全閉止までの所定範囲を自動的に行うものであると戸首部に内蔵し易いとともに鴨居溝にもピン状のトリガを設置するだけで良く、好適である。
【発明の効果】
【００１４】
本発明によれば、鴨居溝に戸首部を嵌装する引き戸において、クローザー機構を付設しても縦幅の短い上框を有する引き戸本体を用いることが可能で経済的であるばかりか、例えばガラス戸入り引き戸のように様々なデザインの引き戸を採用することができ、きわめて便利で経済的にも有利である。
【図面の簡単な説明】
【００１５】
【図１】本発明である引き戸の好ましい実施の形態を示す斜視図。
【図２】図１に示した実施の形態の要部を示す拡大分解斜視図。
【図３】図１に示した実施の形態に用いられるクローザー機構の平面拡大図。
【図４】図１に示した実施の形態に用いられるクローザー機構の側面拡大図。
【図５】従来の引き戸を示すものであり、（ａ）は正面図、（ｂ）は（ａ）に示すＢ−Ｂ線に沿う拡大断面視図。
【図６】従来の引き戸を示すものであり、（ａ）は通常の引き戸の正面図、（ｂ）はガラス戸の正面図。
【発明を実施するための形態】
【００１６】
図１乃至図３は本発明である引き戸の好ましい実施の形態を示すものであり、引き戸１は主として引き戸本体１１の上面１２に鴨居４に形成された鴨居溝４１に嵌装して走向させる戸首部２，３が引き戸本体１１と別体に形成されて引き戸本体１１の上面１２における左右の端部にそれぞれ付設されている。
【００１７】
また、例えば先端側の戸首部２にはクローザー機構５が内蔵されている。
【００１８】
更に詳しく説明すると、図３乃至図４に示すように、引き戸本体１１の上面１２に設置される戸首部２は、例えは全体が長尺角形の金属または合成樹脂により成形されたケース体２１により形成され、前後方向の両側面２２，２２に框４における框溝４１の両側面４３，４３にそれぞれ摺動するガイド条２３，２３がそれぞれ備えられており、戸首部２における側面２２，２２の鴨居溝４１への接触抵抗の減少を図って引き戸１が円滑に走向する。
【００１９】
そして、戸首部２の先端下方には戸首部２の前後方向の取付位置を調整するための調節部材６が付設されている。
【００２０】
この調節部材６は引き戸本体１１の上面１２と木口１３との角部に形成された堀り込み部１４に埋設されて前記引き戸１の上面に設置される戸首部２の先端に連設して配置され、その構造は例えば吊り車やガイドを前後方向へ調節する従来周知のものである。本実施の形態では、操作面６１に配置した調節ねじ６２を回転させることにより偏心カム６３を介して戸首部２の先端部に連結されるガイド６４を軸６５に沿って沿って移動させることにより戸首部２の先端部の前後方向位置が調整される。尚、本実施の形態における調節部材６の構造は一例であり、他の周知の手段であっても良い。
【００２１】
また、戸首部２の基端部は前後方向へ延びる長孔２４を介して止めネジ２５により引き戸本体１１の上面１２に支持されており、前記調節部材６により戸首部２の先端部の移動に追従して戸首部２全体を引き戸本体１１の上面１２の所望の前後方向位置に保持する。
【００２２】
更に、前記戸首部２に内蔵したクローザー機構５は、前記鴨居溝４１における頂面４２の所定位置に下向きに突設したトリガ７に下側から係合する開閉可能なキャッチ体５１が前記引き戸１の長手方向所定範囲で往復摺動可能に突設され、前記キャッチ体５１に引きバネ５２およびエアやオイルなどの各種の流体を用いたダンパ５３を基端側に連結して前記引きバネ５２で摺動させて前記引き戸１を閉方向に付勢するものであって、キャッチ体５１が前記トリガ７に係合した状態で引戸開動作により引きバネ５２を所定量延伸した時点で先端カバー２６に当接して摺動が規制されるのでキャッチ部材５１１，５１１を開放してトリガ７から外れるとともにその位置に保持され、次いで、引戸閉動作により前記トリガ７と再係合してキャッチ部材５１１，５１１を閉じることで保持状態が解除されて、前記ダンパ５３の作用で緩衝されながら前記引きバネ５２の弾性収縮力で前記引戸閉動作後半部分のうち完全閉止までの所定範囲を自動的に行うものである。尚、図面中、符号２７は戸首部２の上面を塞ぐカバーである。
【００２３】
尚、ここでは先端側の戸首部２について説明したが、基端側の戸首部３も同様の構成であり、クローザー機構を内蔵しない場合もある。
【００２４】
また、本実施の形態に示したクローザー機構５は、特に戸首部２に内蔵し易い構成であるとともに鴨居溝４１にトリガ７を設置するという簡単な取付作業で設置することができるなどの利点を有しているが、クローザー機構５は戸首部２に内蔵可能なものであれば他の従来周知のものを採用してもよい。
【符号の説明】
【００２５】
１  引き戸、２  戸首部、４  鴨居、５  クローザー機構、６  調節部材、７  トリガ、 １２  上面、２２  側面、２３  ガイド条、２４  長孔、５２  引きバネ、５３  ダンパ、４１  鴨居溝、４２  頂面、５１１  キャッチ体
【図１】
2011080292.tif 000003
【図２】
2011080292.tif 000004
【図３】
2011080292.tif 000005
【図４】
2011080292.tif 000006
【図５】
2011080292.tif 000007
【図６】
2011080292.tif 000008